(57)【要約】      （修正有）【課題】棚板部品と製造工程の簡素化を達成し、製作コストを効果的に削減する等、多くの実用性と経済効果を持つ柱嵌合式組立棚の棚板構造を提供する。【解決手段】柱嵌合式組立棚の棚板構造は、二つを一組とした円形状の位置固定嵌合部をそれぞれ金属線材によって固定連結し形成した矩形もしくは多角形のコーナー位置に設置することにより、棚板を構成する。円形状の各位置固定嵌合部は、上小下大の同一軸心を対称的に配置したものであり、溶接によって固定するか金属線材で連続的に円や曲折を作成して成形することにより、二組の直角曲折を成す相隣した上、下サポート棒の中継嵌合接続体となり、固定連結した二つの上、下サポート棒によって矩形もしくは多角形的棚板フレームを形成する。【選択図】図３
0003131048.tif 000002
【実用新案登録請求の範囲】
【請求項１】
柱嵌合式組立棚の棚板構造において、
主に二つを一組とした円形状の位置固定嵌合部を、それぞれ金属線材によって固定連結し形成した矩形もしくは多角形のコーナー位置に設置することにより棚板を構成し、前記各円形状の位置固定嵌合部は、金属線材製円状成形し、上小下大の同一軸心を対称的に配置したものであり、上サポート棒、下サポート棒に金属線材で連結棒を溶接固定連結して構成される側片を位置固定嵌合部の兩側上、下の溶接端点上に溶接固定することにより、二組が直角曲折し相隣した側片の中継嵌合接続体となり、この連結により矩形もしくは多角形な棚板フレームを形成、また、このフレームの上面内側に物品積載面を固定連結すると棚板は完成され、内円を固定規格した円状の各位置固定嵌合部は、ピッチ状の定位凹環部のある側柱を嵌入する為のものであり、二片の定位挟片体を定位凹環部上の予め選定した相対箇所に組み合わせ挟み込み嵌合した後、大きな規格の下位置固定嵌合部において上から下に向かって挿入嵌合すると、位置固定嵌合部の内円で制止し離脱不可能となり、位置移動する定位挟片体は、上方の小さい規格の位置固定嵌合部に挟み込まれて定位するストッパー部品となることを特徴とする柱嵌合式組立棚の棚板構造。
【請求項２】
柱嵌合式組立棚の棚板構造において、
棚板の角に金属線材で円状成形した円形状の位置固定嵌合部は、金属線材を連続的に円、曲折する自動化かつ連続化する機具により成形したものであり、並びに最後の円形終了箇所の接合端点にて突き合わせ溶接をし、それぞれ作成される連続部分には、各上サポート棒及び比較的小さい円形状位置固定嵌合部の全て単棒式である上段フレーム周囲を含み、また、各下サポート棒及び比較的大きな円形状位置固定嵌合部の全て単棒式である下段フレーム周囲を含んでおり、更に、上段フレーム周囲、下段フレーム周囲の各上サポート棒、下サポート棒間は、金属線材で連結棒を溶接、並びにこの上段フレーム周囲の内側周囲には物品積載面を固定連結することにより、上小下大の位置固定嵌合部の同一軸心を対称的に配置した棚板構造が形成され、これにより、内円を固定規格した円形状の各上位置固定嵌合部と下位置固定嵌合部は同様に、ピッチ状の定位凹環部のある側柱を嵌入設置する為のものであり、二片の定位挟片体を定位凹環部上の予め選定した相対位置に組み合わせ挟み込んで固定した後、下方の大きな規格である下位置固定嵌合部において上から下に向かって挿入嵌合すると、位置固定嵌合部の内円により制止し離脱不可能となり、位置移動する定位挟片体は、上方の小さい規格の上位置固定嵌合部に挟み込まれ定位するストッパー部品となることを特徴とする請求項１記載の柱嵌合式組立棚の棚板構造。
【考案の詳細な説明】
【技術分野】
【０００１】
本考案の柱嵌合式組立棚の棚板構造は、ピッチ状の定位凹環部を設けた側柱において、二片の定位挟片体を定位凹環部上の予め選定した相対箇所に組み合わせ挟み込み嵌合した後、角の円状の位置固定嵌合部によって定位挟片体外周が制止する、矩形もしくは多角形の棚板の構造改良である。各位置固定嵌合部は、上小下大の同一軸心を対称的に配置したものであり、溶接によって固定するか金属線材で連続的に円や曲折を作成して成形して、二組の直角曲折を成す相隣する上、下サポート棒の中継嵌合接続体となり、棚板の製造を簡便、迅速にすることを特徴とする。
【背景技術】
【０００２】
図1及び図1-Aに示すとおり、公知の柱嵌合式組立棚は、各層に間を空けて設置する棚板2を、ピッチ状の定位凹環部31且つ高度な組立てができる側柱3に簡単に組み合わせるものであり、二片の定位挟片体4は、側柱3の定位凹環部31上の予め選定した相対箇所を挟みこんで嵌合した後、角の円状の位置固定嵌合部22にて下向きに定位挟片体4外周を嵌合制止させる故、棚板2は定位する。その構造は、分解、組立て、位置調整における便利性を有しており、売場商品陳列や家庭内における多層収納棚に広く応用されるものである。
【考案の開示】
【考案が解決しようとする課題】
【０００３】
しかしながら、柱嵌合式組立棚的棚板2の製作構造を見て見ると(図1参照)、それはまず、金属線材で二つ一組の上サポート棒211、下サポート棒212の中段に連結棒213（通常は波状に作成）を溶接固定連結して側片21を形成する。上小下大を呈する空心円錐状の位置固定嵌合部筒22は、上、下の各溶接点Ｐにおいて、それぞれが相鄰する各側片21端部とを溶接してフレーム2Aと繋がっている。更にフレーム2Aの上面内側に物品積載面23を固定連結(通常は直線状もしくは網状連結棒により網面を形成)して棚板2製作を完成させる。この棚板2構造の欠点は、まず、空心円錐状の位置固定嵌合部筒22の成形、材料等によりコスト割高を生じさせることにある。最も重要なことは、位置固定嵌合部筒22と側片21の結合にあり、多点の溶接結合が必要で、基本的に四つの位置固定嵌合筒22として計算すると、各矩形棚板2においては最低16個の溶接点である故、溶接加工工程が繁雑で加工コストが高いという欠点に加え、この構造における溶接の精密度、強度に対する要求等が、公知の棚板2のハイコスト、製造困難、出来上がり製品の高不良品率を引き起こす潜在的な要素となっている。
【課題を解決するための手段】
【０００４】
本考案の柱嵌合式組立棚の棚板構造において、棚板の角に設置した円形状の位置固定嵌合部は、上小下大の同一軸心を対称的に配置したものであり、これにより、ピッチ状の定位凹環部の側柱を即刻組み合わせることができ、二片の定位挟片体は、定位凹環部上の予め選定した相対箇所に組み合わせ挟み込み嵌合した後、定位挟片体外周を嵌入制止させ、位置固定嵌合部は、金属線材で自動的に円を作成する連続成形であり、構造が簡便、廉価、サイズの安定性、正確性という特性を持ち、公知の空心円錐状の位置固定嵌合筒と同様の機能を有しており、良好な経済効率と棚板製作效率を向上させることを特徴とする、柱嵌合式組立棚の棚板構造の提供を主な目的とする。
【０００５】
本考案の柱嵌合式組立棚の棚板構造において、棚板の角に位置する円形状の位置固定嵌合部は、金属線材に連続的な円、曲折を施す自動化かつ連続化する機具により成形し、並びに最後の円形終了箇所の接合端点にて突き合わせ溶接をする。それぞれ作成される連続部分には、各上サポート棒及び比較的小さい円形状である位置固定嵌合部の全て単棒式の上段フレーム周囲と、各下サポート棒及び比較的大きな円形状である位置固定嵌合部の全て単棒式の下段フレーム周囲を含んでおり、上段フレーム周囲、下段フレーム周囲の上サポート棒、下サポート棒の中間に金属線材で連結棒を溶接（通常は波状に作成）すると、上小下大の位置固定嵌合部の同一軸心を対称的に配置した棚板構造が完成する。これにより、棚板フレームは、上サポート棒、下サポート棒を持ち各単一溶接点だけの最強かつ最簡便構造となり、明らかに製造工程の溶接操作を減少させ、製造効率の大幅な向上と製造コスト削減による最高経済効率を達成することを特徴とする柱嵌合式組立棚の棚板構造の提供を次の目的とする。
【考案の効果】
【０００６】
以上説明したように、本考案の柱嵌合式組立棚の棚板構造は、棚板部品と製造工程を簡素化し、製作コストを効果的に削減する等、多くの実用性と経済効果を持つことを特徴とする。
【考案を実施するための最良の形態】
【０００７】
まず、図2及び図2-Aを参照にすると、本考案の柱嵌合式組立棚の棚板5構造は、主に二つを一組とした円形状の上位置固定嵌合部51A、下位置固定嵌合部51Bをそれぞれ金属線材によって固定連結し形成した矩形もしくは多角形のコーナー位置に設置することにより、棚板5を構成する。
【０００８】
前記各円形状の上位置固定嵌合部51A、下位置固定嵌合部51Bは、金属線材製円状成形で、上小下大の同一軸心を対称的に配置したものであり、上サポート棒521、下サポート棒522に金属線材で連結棒523を溶接(通常は波状に作成)固定連結して構成される側片52を、その兩側の上溶接端点Ｐ1、下溶接端点Ｐ2上に溶接固定することにより、二組の直角曲折し相隣した側片52の中継嵌合接続体となり、この連結により矩形もしくは多角形的棚板5フレーム5Aを形成する。このフレーム5Aの上面内側に物品積載面53を固定連結(通常は直線状もしくは網状の連結棒によって網面を形成)することにより、棚板5製作を完成させる。
【０００９】
内円を固定規格した各上位置固定嵌合部51A、下位置固定嵌合部51Bは、ピッチ状の定位凹環部31の側柱3を設置する為のものであり、二片の定位挟片体4を定位凹環部31上の予め選定した相対箇所に組み合わせ挟み込み嵌合した後、大きな規格の下位置固定嵌合部51Bにおいて上から下に向かって挿入嵌合すると、上位置固定嵌合部51Aと下位置固定嵌合部51Bの内円により制止し離脱不可能となり、位置移動する定位挟片体4は、小さい規格の上位置固定嵌合部51Aに挟み込まれて定位するストッパー部品となる。この上小下大の同一軸心を対称的に配置した円形状の上位置固定嵌合部51A、下位置固定嵌合部51Bは、図1に示した従来構造である体積の大きな空心円錐状の位置固定嵌合筒22を代替するものとなり、製造工程の簡素化と製造コストの有効的な低減を達成する、実用的で経済効果な柱嵌合式組立棚の棚板構造であることを特徴とする。
【００１０】
引き続き図3及び図3-A、3-B、3-Cを参照する。これらに示した本考案の柱嵌合式組立棚の棚板6構造において、棚板6角に金属線材で作成した円形状の上位置固定嵌合部61Aと下位置固定嵌合部61B（図4併合参照）は、金属線材に連続的な円、曲折を施す自動化かつ連続化の機具により成形し、並びに最後の円形終了箇所の突き合わせ溶接接合端点Ｐ3にて突き合わせ溶接をする。それぞれ作成される連続部分には、各上サポート棒621及び比較的小さい円形状である位置固定嵌合部61Aの全て単棒式の上段フレーム周囲6Aを含み、また、連続する各下サポート棒622及び比較的大きな円形状である位置固定嵌合部61Bの全て単棒式の下段フレーム周囲6Bを含む。
【００１１】
更に、上段フレーム周囲6A、下段フレーム周囲6Bの各上サポート棒621、下サポート棒622間は、金属線材で連結棒623を溶接（通常は波状）、並びにこの上段フレーム周囲6Aの内側周囲には物品積載面6Cを固定連結(通常は直線状もしくは網状連結棒により網面を形成)することにより、上小下大の上位置固定嵌合部61Aと下位置固定嵌合部61Bの同一軸心を対称的に配置した棚板6構造を形成する。
【００１２】
図5に示すとおり、内円を固定規格した円形状の各上位置固定嵌合部61Aと下位置固定嵌合部61Bは同様に、ピッチ状の定位凹環部31を設けた側柱3を嵌入設置する為のものであり、二片の定位挟片体4を定位凹環部31上の予め選定した相対位置に組み合わせ挟み込んで固定した後、下方の大きな規格である下位置固定嵌合部61Bにおいて上から下に向かって挿入嵌合すると、上位置固定嵌合部61A、下位置固定嵌合部61Bの内円により制止し離脱不可能となり、位置移動する定位挟片体4は、上方の小さい規格の上位置固定嵌合部61Aに挟み込まれ定位するストッパー部品となる。よって棚板6の上段フレーム6Aと下段フレーム周囲6Bは、各単一溶接点だけの最強かつ最簡便構造となり、また、明らかに製造工程の溶接操作を減少させ、製造効率の大幅な向上と製造コスト削減による最高経済効率を達成することは、本考案の更なる重要な特徴である。  
【００１３】
上述したとおり、本考案は、柱嵌合式組立棚の専用棚板製作構造を明らかに確実に改善するもので、並びに製造コストを削減をするものであり、実用新案の内容が求める実用性、進歩性に符合するものである。.
【図面の簡単な説明】
【００１４】
【図１】公知技術構造の立体分解図である。
【図１Ａ】図1の局部組立て断面図である。
【図２】本考案構造の立体組立て及び部分分解図である。
【図２Ａ】図２の局部組立て断面図である。
【図３】本考案構造に関する第二実施例の立体組立て及び部分分解図である。
【図３Ａ】図３組立て図の局部拡大立体図である。
【図３Ｂ】図３組立て図の側面図である。
【図３Ｃ】図３組立て図の局部断面図である。
【図４】図３の局部立体分解図である。
【図５】図３の立体組立て実施図である。
【符号の説明】
【００１５】
２      棚板
２Ａ    フレーム
２１    側片
２１１  上サポート棒
２１２  下サポート棒
２１３  連結棒
２２    位置固定嵌合部筒
２３    物品積載面
Ｐ      溶接点
３      側柱
３１    定位凹環部
４      定位挟片体
５      棚板
５Ａ    フレーム
５１Ａ  上位置固定嵌合部
５１Ｂ  下位置固定嵌合部
５２    側片
５３    物品積載面
５２１  上サポート棒
５２２  下サポート棒
５２３  連結棒
Ｐ１、Ｐ２  溶接端点
６      棚板
６Ａ    上段フレーム周囲
６Ｂ    下段フレーム周囲
６Ｃ    物品積載面
６１Ａ  上位置固定嵌合部
６１Ｂ  下位置固定嵌合部
６２１  上サポート棒
６２２  下サポート棒
６２３  連結棒
Ｐ３    突き合わせ溶接端点
【図１】
0003131048.tif 000003
【図１Ａ】
0003131048.tif 000004
【図２】
0003131048.tif 000005
【図２Ａ】
0003131048.tif 000006
【図３】
0003131048.tif 000007
【図３Ａ】
0003131048.tif 000008
【図３Ｂ】
0003131048.tif 000009
【図３Ｃ】
0003131048.tif 000010
【図４】
0003131048.tif 000011
【図５】
0003131048.tif 000012